(57)【要約】【課題】  本発明は、畑の作物の間に生える雑草取り作業を軽減すること、作物の病害を防ぐことができる雑草防止用マルチシートを提供する。【解決手段】  遮光効果の高い黒色のＰＥＴ材質（ポリエチレンテレフタレート樹脂）の円弧形マルチ（１）、平行形マルチ（２）円弧形マルチ（３）とマルチ押える固定具（４）の４部品からなり畝幅の広さにより組み合わせて使用し、風で飛ばされないようにマルチ押え固定具の補助（５）を装着したマルチ押える固定具（４）をマルチ押え固定具を挿す穴（８）に差し込んで使用することを特徴とする。【選択図】図１
2013192558.tif 000002
【特許請求の範囲】
【請求項１】
［０００５］
遮光効果の高い黒色のＰＥＴ材質（ポリエチレンテレフタレート樹脂）の円弧形マルチ（１）平行形マルチ（２）円弧形マルチ（３）マルチ押え固定具（４）の４部品からなり畝幅の広さにより組み合わせて使用する
広い畝の時は、円弧形マルチ（１）の苗・種を植える穴（６）と平行形マルチ（２）の種・苗を植える穴（９）の半円の穴と合わせ苗を移植するための円の穴を作り、次に平行形マルチ（２）の種・苗を植える穴（９）半円の穴と円弧形マルチ（３）の種・苗を植える穴（６）を合わせて苗を植える円の穴を作り３部品を合わせて雑草防止用マルチセットとして使用する
狭い畝幅の場合は、円弧形マルチ（１）の種・苗を植える穴（６）と円弧形マルチ（３）の種・苗を植える穴（６）の半円の穴を合わせ２部品で、種・苗を植えるために円の穴を作り雑草防止用マルチセットとして使用する
雑草防止マルチセットが風で飛ばされないように、マルチ押え固定具の補助（５）を装着したマルチ押え固定具（４）を、マルチ押え固定具を挿す穴（８）に挿す
種を播く、苗を移植、作物によって半円のサイズ、穴の間隔サイズの違うものがあり、水やり、追い肥をするときは、雑草防止用マルチシートをのけて作業し、終わったらまた雑草が生えないよう被せておく
以上を特徴とする雑草防止用マルチシート
【発明の詳細な説明】
【技術分野】
【０００１】  本発明は、畑の作物の間に生える雑草取り作業を軽減すること、作物の病害を防ぐことができる雑草防止用マルチシートに関するものである。
【背景技術】
【０００２】  従来、雑草の生育を防止して、地被植物の確実な植生を図るとともに、移植を容易にする地被植物の植生方法、ならびに、その方法によりできた地被植物マットがあった。（特許文献１参照）
雑草の発生を抑制、防止でき、水に濡れてもハンドリング性に優れ、かつ使用後の回収、廃棄作業を必要としない、マルチシートがあった。（特許文献２参照）
従来のマルチ材の素材は、ポリエチレン、ビニールであった。
【先行技術文献】
【特許文献】
【０００３】
【特許文献１】  特開２０１１−１０５６６号公報
【特許文献２】  特開２００９−７７６４７号公報
【発明の概要】
【発明が解決しようとする課題】
【０００４】  そのために、次のような問題があった。
（イ）従来の穴あきポリマルチは、張る作業が難しい
（ロ）両端に土をかけてしまうので追い肥、水やりが十分にできない
（ハ）使用後の片づけが困難であった
本発明は、これらの問題点を解決するためになされたものである。
【課題を解決するための手段】
【０００５】    遮光効果の高い黒色のＰＥＴ材質（ポリエチレンテレフタレート樹脂）の円弧形マルチ（１）平行形マルチ（２）円弧形マルチ（３）マルチ押え固定具（４）の４部品からなり畝幅の広さにより組み合わせて使用する
広い畝の時は、円弧形マルチ（１）の苗・種を植える穴（６）と平行形マルチ（２）の種・苗を植える穴（９）の半円の穴と合わせ苗を移植するための円の穴を作り、次に平行形マルチ（２）の種・苗を植える穴（９）半円の穴と円弧形マルチ（３）の種・苗を植える穴（６）を合わせて苗を植える円の穴を作り３部品を合わせて雑草防止用マルチセットとして使用する
狭い畝幅の場合は、円弧形マルチ（１）の種・苗を植える穴（６）と円弧形マルチ（３）の種・苗を植える穴（６）の半円の穴を合わせ２部品で、種・苗を植えるために円の穴を作り雑草防止用マルチセットとして使用する
雑草防止マルチセットが風で飛ばされないように、マルチ押え固定具の補助（５）を装着したマルチ押え固定具（４）を、マルチ押え固定具を挿す穴（８）に挿す
種を播く、苗を移植、作物によって半円のサイズ、穴の間隔サイズの違うものがあり、水やり、追い肥をするときは、雑草防止用マルチシートをのけて作業し、終わったらまた雑草が生えないよう被せておく
本発明は、以上を特徴とする雑草防止用マルチシートである。
【発明の効果】
【０００６】本発明は、雑草防止用マルチシートを土の上に被せておくだけで、作業が楽にでき雑草から作物を守り病害から守り、既存のマルチは、毎年使い捨てであったが、これなら数回使用できてエコにもなる。
【図面の簡単な説明】
【０００７】
【図１】  本発明の斜視図である。
【図２】  本発明の斜視図である。
【図３】  本発明の雑草防止用マルチシートの説明図である。
【図４】  本発明の使用状態を示した斜視図である。
【発明を実施するための形態】
【０００８】  以下、本発明の実施の形態について説明する。
（イ）遮光効果の高い黒色のＰＥＴ材質の円弧形マルチ（１）平行形マルチ（２）円弧形    マルチ（３）マルチ押え固定具の補助（５）が装着されたマルチ押え固定具（４）の    ４部品からなり、円弧形マルチ（１）円弧形マルチ（３）それぞれに片端のみに種・    苗を植える穴（６）をあけてあり、平行形マルチは両端に種・苗を植える穴（９）が    あけてあるので、半円同士を合わせて円としてその円に種を播く、苗を移植し円弧形    マルチ（１）平行形マルチ（２）円弧形マルチ（３）セットし、風で飛ばないように    マルチ押え固定具の補助（５）が装着されたマルチ押え固定具（４）をマルチ押え固    定具を挿す穴（８）に挿し作物（７）を育てる。
（ロ）種を播く、苗を移植、作物の用途に合わせた間隔で半円の穴をあけた円弧形マルチ    （１）平行形マルチ（２）円弧形マルチ（３）があり、種・苗を植える穴（６）（９    ）を円になるように合わせて使用する
雑草防止用マルチシートは畝幅に合わせて組み合わせて使用する。
本発明は、以上のような構成である。
本発明を使用するときは、畝幅が狭いときは、円弧形マルチ（１）の種・苗を植える    穴（６）と円弧形マルチ（３）の種・苗を植える穴（６）を組み合わせ種・苗を植え    るための円の穴を作り、畝幅が広いときは、円弧形マルチ（１）の種・苗を植える穴    （６）と平行形マルチ（２）の種・苗を植える穴（９）平行形マルチ（２）の苗を植    える穴（９）円弧形マルチ（３）の苗を植える穴（６）を円になるようにそれぞれ組    み合わせ、苗を移植するための円の穴を作り土の畝の上に被せ、風などで飛ばされな    いように両端に土をかけ、マルチ押え固定具の補助（５）を装着したマルチ押え固定    具（４）をマルチ押え固定具を挿す穴（８）数カ所挿して使用することを特徴とする    。
【符号の説明】
【０００９】１  円弧形マルチ
２  平行形マルチ
３  円弧形マルチ
４  マルチ押え固定具
５  マルチ押え固定具の補助
６  苗・種を植える穴
７  作物
８  マルチ押え固定具を挿す穴
９  苗・種を植える穴
【図１】
2013192558.tif 000003
【図２】
2013192558.tif 000004
【図３】
2013192558.tif 000005
【図４】
2013192558.tif 000006